(57)【要約】【課題】乳首であって、少なくとも１つの胴部４と少なくとも１つの乳頭２とを備えており、少なくとも部分領域で表面構造化部が設けられている形式のものを改良して、女性乳房のできるだけ良好な模造を実現し、部分的に過大の強度が生じるのを甘受することなく、乳首の必要な強さまたは硬さを全体にわたって保証し、かつ特に部分的にできるだけ肌に似た外観を有しているようなものを提供する。【解決手段】表面構造化部が、最大１００μｍの表面粗さを有する少なくとも１つの表面粗面化域７によって形成されている。【選択図】図１
0003104866.tif 000002
【実用新案登録請求の範囲】
【請求項１】
乳首であって、少なくとも１つの胴部（４）と少なくとも１つの乳頭（２）とを備えており、少なくとも部分領域で表面構造化部が設けられている形式のものにおいて、
表面構造化部が、最大１００μｍの表面粗さを有する少なくとも１つの表面粗面化域（７）によって形成されていることを特徴とする、乳首。
【請求項２】
表面粗面化域（７）が、最大５０μｍの表面粗さを有している、請求項１記載の乳首。
【請求項３】
表面粗面化域（７）が、約１０μｍから約４０μｍまでの表面粗さを有している、請求項１または２記載の乳首。
【請求項４】
表面粗面化域（７）が、１５μｍから３０μｍまでの表面粗さを有している、請求項３記載の乳首。
【請求項５】
表面粗面化域（７）が、外観で実質的に三角形に形成されている、請求項１から４までのいずれか１項記載の乳首。
【請求項６】
表面粗面化域（７）が、少なくとも部分的に乳頭（２）に延びている、請求項１から５までのいずれか１項記載の乳首。
【請求項７】
複数の表面粗面化域（７）が設けられており、これらの表面粗面化域（７）が、透過性域（１３）によって互いに分離されている、請求項１から６までのいずれか１項記載の乳首。
【請求項８】
表面粗面化域（７）が、少なくとも１つの補強リブ（１０；１０´）によって補強されている、請求項１から７までのいずれか１項記載の乳首。
【請求項９】
表面粗面化域（７）の領域における補強リブ（１０；１０´）が、乳首（１）の内面に設けられている、請求項８記載の乳首。
【請求項１０】
補強リブ（１０；１０´）が、少なくとも部分的に乳頭（２）に延びている、請求項８または９記載の乳首。
【請求項１１】
乳頭（２）が、実質的に楕円形の横断面を有しており、胴部（４）が、実質的に円形の横断面を有している、請求項１から１０までのいずれか１項記載の乳首。
【請求項１２】
２つの表面粗面化域（７）が、直径方向で互いに反対側に設けられている、請求項１から１１までのいずれか１項記載の乳首。
【請求項１３】
２つの表面粗面化域（７）が、乳頭（２）のフラットな面の領域に配置されている、請求項１１または１２記載の乳首。
【請求項１４】
当該乳首が、おしゃぶり用乳首（１´´）として形成されており、該おしゃぶり用乳首（１´´）が、乳頭（２）を備えており、該乳頭（２）の横断面が、胴部（４）の横断面よりも大きくなっている、請求項１から１３までのいずれか１項記載の乳首。
【請求項１５】
当該乳首が、瓶用乳首（１，１´）として形成されており、該瓶用乳首（１，１´）が、胴部（４）と乳頭（２）とを結合する唇接触領域（３）を備えており、表面粗面化区域（７）が、唇接触領域（３）に設けられている、請求項１から１３までのいずれか１項記載の乳首。
【請求項１６】
胴部（４）の厚みが、唇接触領域（３）および乳頭（２）における乳首（１，１´）の厚みよりも大きくなっている、請求項１５記載の乳首。
【請求項１７】
胴部（４）が、約２．００ｍｍから２．５０ｍｍまでの厚みを有しており、乳頭（２）もしくは唇接触領域（３）が、約１．２０ｍｍから１．５０ｍｍまでの厚みを有している、請求項１６記載の乳首。
【請求項１８】
胴部（４）が、約２．２５ｍｍの厚みを有している、請求項１７記載の乳首。
【請求項１９】
乳頭（２）もしくは唇接触領域（３）が、約１．３５ｍｍの厚みを有している、請求項１７または１８記載の乳首。
【請求項２０】
唇接触領域（３）に、残りの唇接触領域（３）よりも小さな厚みを有する少なくとも１つの域（１７）が設けられている、請求項１６から１９までのいずれか１項記載の乳首。
【請求項２１】
厚みの小さな域（１７）が、約１．３０ｍｍから１．６０ｍｍまでの厚みを有している、請求項２０記載の乳首。
【請求項２２】
厚みの小さな域（１７）が、約１．４５ｍｍの厚みを有している、請求項２１記載の乳首。
【請求項２３】
厚みの小さな域（１７）が、乳頭（２）まで延びている、請求項２０から２２までのいずれか１項記載の乳首。
【請求項２４】
厚みの小さな域（１７）が、外観で実質的に三角形に形成されている、請求項２３記載の乳首。
【請求項２５】
厚みの小さな域（１７）が、少なくとも１つの補強リブ（１０）によって補強されている、請求項１６から２４までのいずれか１項記載の乳首。
【請求項２６】
厚みの小さな域（１７）における補強リブ（１０）が、乳首（１，１´）の内面に設けられている、請求項２５記載の乳首。
【請求項２７】
２つの厚みの小さな域（１７）が、直径方向で互いに反対側に設けられている、請求項１６から２６までのいずれか１項記載の乳首。
【請求項２８】
厚みの小さな域（１７）が、乳頭（２）のフラットな面の領域に配置されている、請求項２７記載の乳首。
【請求項２９】
表面粗面化域（７）と厚みの小さな域（１７）とが、少なくとも部分的に互いにオーバーラップして配置されている、請求項１６から２８までのいずれか１項記載の乳首。
【請求項３０】
厚みの小さな域（１７）が、表面粗面化域（７）の部分領域に配置されている、請求項１から２９までのいずれか１項記載の乳首。
【請求項３１】
乳首（１，１´，１´´）が、射出成型品である、請求項１から３０までのいずれか１項記載の乳首。
【請求項３２】
乳首（１，１´，１´´）が、熱可塑性エラストマから成っている、請求項１から３１までのいずれか１項記載の乳首。
【請求項３３】
乳首（１，１´，１´´）が、ラテックス、シリコーンなどのエラストマ材料から成っている、請求項１から３１までのいずれか１項記載の乳首。
【考案の詳細な説明】
【技術分野】
【０００１】
本考案は、乳首であって、少なくとも１つの胴部と少なくとも１つの乳頭とを備えており、少なくとも部分領域で表面構造化部が設けられている形式のものに関する。
【背景技術】
【０００２】
公知の乳首では、表面構造化部が材料厚み部、つまり凸部もしくは凹部によって形成されており、この場合特にリブ、節状突起およびハニカム構造部などが公知である（たとえば米国特許第６２４１１１０号明細書、ドイツ連邦共和国特許出願公開第３２４１８４５号明細書、米国特許第２３６６２１４号明細書、オーストリア国特許４０８１８５号明細書参照）。原則としてこれらの凸部もしくは凹部は乳首の周りを取り囲むように設けられており、またこれらの凸部もしくは凹部は歯が生える際に補助的に作用し、よだれの通流路を形成し、また乳房を模造するように所望されており、これによって瓶（哺乳瓶）用乳首として使用する場合、乳児にとって飲用液を飲む際に快適な吸い付き感を与えることができる（これについてはドイツ連邦共和国特許公開第４６６５４１号明細書またはドイツ連邦共和国特許出願公開第１９７１６５３４号明細書参照）。後者のドイツ連邦共和国特許出願公開第１９７１６５３４号明細書には、特に条片状のまたは波状の隆起部が記載されており、有利には、これらの隆起部はそれぞれ乳首の、横断面で楕円形の乳頭の広幅面に形成されている。
【０００３】
公知の乳首では、乳房の模造を満足できる程度に行うことはできない。なぜならば凸部が過度に強い構造化部を形成するので、実際に表面構造に関して乳房の類似性を達成することはできない。さらに比較的強く成形された表面構造部、特にリブ、節状突起、凸部などは、問題領域で乳首の過剰の補強が生じるような所望しない効果を有している。このことによって実際に不都合な補強を補償するために特に軟らかい材料が乳首を製作するのに使用され、このことによって残りの領域で乳首の強度が過小になる。
【特許文献１】米国特許第６２４１１１０号明細書
【特許文献２】ドイツ連邦共和国特許出願公開第３２４１８４５号明細書
【特許文献３】米国特許第２３６６２１４号明細書
【特許文献４】オーストリア国特許４０８１８５号明細書
【特許文献５】ドイツ連邦共和国特許公開第４６６５４１号明細書
【特許文献６】ドイツ連邦共和国特許出願公開第１９７１６５３４号明細書
【考案の開示】
【考案が解決しようとする課題】
【０００４】
したがって本考案の課題は、冒頭で述べたような形式の乳首を改良して、女性乳房のできるだけ良好な模造を実現し、部分的に過大の強さが生じるのを甘受することなく、乳首の必要な強さまたは硬さを全体にわたって保証し、かつ特に部分的にできるだけ肌に似た外観を有しているようなものを提供することである。
【課題を解決するための手段】
【０００５】
この課題を解決するための本考案の構成によれば、表面構造化部が、最大１００μｍ、特に最大５０μｍの表面粗さを有する少なくとも１つの表面粗面化域によって形成されている。
【考案の効果】
【０００６】
本考案による、乳首の表面の数１０μｍ範囲の粗面化によって、既に視覚的に軟らかくて肌に似た外観が得られるだけでなく、乳首はこの領域でも女性乳房に極めて近い肌に似た特に軟らかい感触になる。この場合実験から明らかなように、表面粗面化域が約１０μｍ〜約４０μｍ、有利には１５μｍ〜３０μｍの表面粗さを有していると特に有利である。
【０００７】
また有利には、表面粗面化区域が外観で実質的に三角形に形成されている。このような実施形態では、粗面化域が三角形状で乳頭もしくはその尖端に達しており、これによって瓶用乳首として使用する場合に飲用液を飲む際、もしくはおしゃぶり用乳首として用いる場合に吸い付く際に、女性乳房に似た表面に接触する舌が効果的に刺激される。したがって有利には、表面粗面化域は少なくとも部分的に乳頭に延びている。
【０００８】
衛生的な理由から有利には、複数の表面粗面化域が設けられており、これらの表面粗面化域は透過性の域によって互いに分離されている。透過性の域または領域によって、乳首（瓶用乳首またはおしゃぶり用乳首）の内側の汚れなどを瞬時に確認することができ、しかもまた表面粗面化域の内面の領域でも、瓶用乳首として使用する場合に形成され得るミルクなどの凝固物を確認することができる。
【０００９】
記載の表面粗面化域の構成によって、この表面粗面化域において、乳首の、表面が平滑である残りの領域と比べて幾分か大きな「軟性」（軟らかい感触）が得られ、この表面粗面化域における乳首の不都合な押し合わせまたは重ね合わせを回避するために、有利には、表面粗面化域が少なくとも１つの補強リブによって補強されている。この場合乳首の外面における不都合な隆起部形成を回避するために、さらに有利には、表面粗面化域の領域における補強リブが乳首の内面に設けられている。また有利には表面粗面化域が乳頭まで延びており、これについて有利には、補強リブが少なくとも部分的に乳頭に延びている。
【００１０】
有利には、乳頭が実質的に楕円形の横断面を有しており、これに対して胴部が円形の横断面を有している。これによって乳首は所定の２つの位置で乳児によって快適に口に入れることができ、表面粗面化域は乳首の正確な所定箇所に設けることができる。したがって有利には、２つの表面粗面化域が直径方向で互いに反対側に設けられている。さらに有利には、２つの表面粗面化域が乳頭のフラットな面の領域に配置されている。
【００１１】
おしゃぶり用乳首として乳首を形成する場合、乳首を確実に口腔に入れるために、有利には、乳首が乳頭を備えており、乳頭の横断面が胴部の横断面よりも大きく形成されている。
【００１２】
これに対して瓶用乳首として乳首を形成する場合、女性乳房を介しての栄養摂取をできるだけ精確に偽装するために、有利には、乳首が胴部と乳頭とを結合する唇接触領域を備えており、表面粗面化域が唇接触領域に設けられている。
【００１３】
自然な女性乳房に対する乳児の吸い付きを偽装するために、さらに有利には、胴部の厚みが、唇接触領域および乳頭における乳首の厚みよりも大きくなっている。それぞれ異なる厚みで乳首を形成することによって、残りの乳首部分、つまり唇接触領域とこれに続く乳頭とをばね弾性的に支持する、比較的大きな厚みを有する胴部にる比較的堅固な装着が得られるので、自然な女性乳房に接触する感触が精確に偽装される。従来慣用の瓶用乳首による乳児の栄養摂取は、女性乳房からミルクを飲むこととは全く異なるものであった。女性乳房の極めて軟らかい乳頭はもっぱら乳児の舌と口蓋とによって搾られ（搾乳され）、この場合負圧（真空）が女性乳房に形成されないので、乳児は完全に安定した状態で飲むことができる。ミルクを口に含んで飲み込むのに、とりわけ乳児によって吸込（真空）が形成されないか、またはほとんど形成されない。飲むということは、実際に追加的な搾り運動（搾乳）を加えて器から飲むことに相当するものである。
【００１４】
従来の瓶用乳首は、比較的大きな厚みを有していて、かつ比較的堅固で硬いものである。このような堅固な瓶用乳首では「搾り」を行うことができず、これによって実際に乳児は吸い込みによってしか、ミルクおよび所望しない空気を得ることができない。この場合既に最初の吸い付きで瓶に負圧が形成され、この負圧に逆らうように、乳児が比較的強い真空（吸引）を形成する。このような吸い付きによって、口中から空気も吸い込んで飲み込むようになる。この空気は極めて不快で、母子にとって負担となる疝痛をもたらす恐れがある。
【００１５】
実験が示したように、胴部が約２．００ｍｍ〜２．５０ｍｍ、特に２．２５ｍｍの厚みを有していて、乳頭もしくは唇接触領域が約１．２０ｍｍ〜１．５０ｍｍ、特に１．３５ｍｍの厚みを有していると、自然な女性乳房の特に良好な模造品が形成される。
【００１６】
既に説明した、乳首における乳児の「搾り」を容易にするために、有利には、唇接触領域に、残りの唇接触領域よりも小さな厚みを有する少なくとも１つの域が設けられている。ここでは実験から明らかなように、記載した乳児の「搾り」にとって特に有利には、厚みの小さな域が約１．３０ｍｍ〜１．６０ｍｍ、特に１．４５ｍｍの厚みを有している。
【００１７】
厚みの小さな域が乳頭まで延びている場合、厚みの小さな域が乳児の口もしくは舌の接触領域全体に設けられており、これによってさらに乳児の「搾り」が容易になる。この場合有利には、厚みの小さな域が外観で三角形に形成されている。
【００１８】
厚みの小さな域の領域における乳首の不都合な押し付けまたは重ね合わせを回避するために、有利には、厚みの小さな区域が少なくとも１つの補強リブによって補強されている。
【００１９】
この場合乳首の外面における不都合な隆起部形成を回避するために、有利には、厚みの小さな域の領域における補強リブが、乳首の内面に設けられている。
【００２０】
この場合有利には、厚みの小さな域が乳頭に延びており、これに関して特に有利には、補強リブが乳頭まで延びている。
【００２１】
乳頭が実質的に楕円形の横断面を有しており、これに対して胴部が円形の横断面を有していると、乳首は所定の２つの位置で乳児によって快適に口に入れることができ、さらにこのことによって厚みの小さな域は乳首の正確な所定箇所に設けることができる。したがって有利には、２つの厚みの小さな域が直径方向で互いに反対側に設けられている。これに関してさらに有利には、２つの厚みの小さな域が乳頭のフラットな面の領域に配置されている。
【００２２】
表面粗面化域と厚みの小さな域とが少なくとも部分的に互いにオーバーラップして配置されている場合、乳首の部分領域が比較的可撓性で肌に似た形式で形成されているので、女性乳房の良好な模造品が得られる。
【００２３】
自然な女性乳房の表面特性および硬さを特に良好に模造するために有利には、厚みの小さな区域が表面粗面化域の部分領域に配置されている。
【００２４】
有利には、乳首が射出成型品として形成されており、この場合乳首の表面粗面化域は射出成形型の適当に粗い領域によって成形される。このような粗い領域は、たとえば射出成形型の型表面の放電加工または化学エッチングによって製作することができる。
【００２５】
有利には、乳首が熱可塑性エラストマまたはラテックス、シリコーンなどのエラストマ材料から成っている。
【００２６】
もちろん乳首は横断面で円形の乳頭を有していてよく、乳首の乳頭が「折り曲げ形成」いわゆる「片面形成」される（そうして口に１つの正しい位置が所与される）場合、表面粗面化域を、片面、つまり乳首の下面で唇接触領域および乳頭領域に設けることも考えられる。
【００２７】
さらに述べると、今日の大きな問題によれば、一面では健康上の理由から乳児に授乳すること、ひいては最初の６ヶ月間母乳で栄養摂取することはほとんど義務となっており、また別の一面では多くの場合母親は、子供の傍にいないので、子供に４〜６時間ごとに乳房を与えることができない。特にアメリカでは、母親は一般的に既に産後約６週間で再び仕事に就かなければならない。
【００２８】
そこで母親は搾乳器で母乳を搾り出して、留守の間に子供に別の誰かから瓶で与えるようにしている。そうして実際に子供は毎日瓶用乳首と母親の乳房とを併用して飲用液を飲まなければならず、このことは生後数週間の多くの乳児では極めて多くの場合大きな問題となる。多くの場合母親は離乳して、子供に人工的な栄養を与えなければならなくなる。このことは医学な見解から決して望ましいものではない。アメリカの小児科医は公に、１歳の誕生日まで乳児に授乳することを勧めているが、これには既に述べた多くの技術的問題が障害となっている。できるだけ小さな吸い口によって、瓶用乳首を用いる場合、乳児に女性乳房と同程度の吸い付き労力に慣れさせるようにしているが、多くの場合満足できる結果が得られない。乳児にとって、ゴムまたはシリコーン乳首の「味覚」も粘着性も、女性乳房で形成される感覚とは全く違うものである。ミルクを瓶用乳首から吸引する方法もまた、女性乳房で飲む動作とは全く異なるものである。
【考案を実施するための最良の形態】
【００２９】
次に本考案の実施の形態を図示の実施例を用いて詳しく説明する。
【００３０】
図１から図３には、瓶（哺乳瓶）用乳首の構成をした乳首１を示した。この乳首１は従来の形式で乳頭２を備えており、この乳頭２に続いて唇接触領域３が設けられており、この唇接触領域３は連続的に胴部４に移行しており、また乳首１は、広く知られていて図示していないキャップナットもしくはユニオンナット状のキャップを用いて瓶の瓶ネックに乳首１を固定するための乳首フランジ５を備えている。乳首１はフランジ５の胴部４の領域で回転対称に、つまり横断面で円形に形成されているが、乳頭２は横断面で楕円形に形成されているので、乳首１は２つの位置で、つまり横方向でみて長軸に対して平行位置で、乳児にとって快適に口に入れることができる。横断面形状は、唇接触領域３において乳頭２の楕円形から胴部４の円形に連続的に移行している。
【００３１】
乳首１の両方の広幅面、つまり乳頭２の楕円の横断面の長軸に対して平行に延びる面において、直径方向で互いに反対側に、表面粗面化域７の構成をした表面構造化部６が設けられている。これらの表面粗面化域７は、図２から判るように、大体において外観で三角形に形成されており、また広幅のベース領域８で唇接触領域３に設けられていて、かつ狭幅の尖端領域９で乳頭２の半部まで延びるように設けられている。
【００３２】
乳首１の内面において、表面粗面化域７、つまり表面構造化部の領域で互いに対向して補強リブ１０が設けられており、これらの補強リブ１０は、乳首１の中央面１１に沿って下方から上方へ延びていて、かつ表面粗面化域７の領域で乳首１の強度を高めている。このような構成は有利である。なぜならば、乳首１のために適当な軟性を有する材料を使用する場合、乳首１の使用時に唇接触領域３に所望しない強い押し込みが生じる恐れがあり、これに対して表面粗面化域７における表面粗さ（凹凸形状）によって乳首１の軟性が高められるからである。
【００３３】
表面粗さは、有利には最大約１００μｍ、特に最大５０μｍであり、実験の結果によれば、最適な凹凸深さは１０μｍ〜４０μｍ、有利には１５μｍ〜３０μｍである。凹凸深さにこのような値を用いると、女性乳房の最適な模造品が形成される。
【００３４】
このような表面粗さは、乳首１をたとえば射出成形で製作する場合、製作時に使用される型、特に射出成形型が、表面粗面化域７の形成される適当な箇所において、放電加工や化学エッチングによって表面で粗面化されることによって実現される。
【００３５】
従来の形式で飲み口１２の設けられる乳首尖端に向いた三角形尖端を備えた表面粗面化域７の三角形状によって、乳児が飲用液を飲む際に乳児の舌も女性乳房に類似するように粗面化された表面粗面化域７に接触し、これによって乳児に刺激が与えられるように保証される。
【００３６】
補強リブ１０によって、既に説明したように乳首の問題領域が補強されるので、飲む際にこの領域が「重ね合わせられる」ことはなく、これによって飲用液、特にミルクの後続流れがブロックされる恐れはない。
【００３７】
衛生上の理由から、乳首表面全体が粗面化されず、むしろ図示したように有利には直径方向で互いに反対側に位置する２つの表面粗面化域７が設けられており、また少なくともこれらの表面粗面化域７の間の領域１３、有利には乳首１の、表面粗面化域７の外側の残りの全領域において、平滑な表面を有する乳首１の透過性の構成が与えられており、これによって汚れ、凝固物などを直ちに外側から目視することができる。
【００３８】
したがって有利には、乳首１の材料として熱可塑性エラストマ、ラテックスまたはシリコーンが使用され、このような材料は半透明または透過性であり、かつ射出成形で製作するのにも適している。
【００３９】
図４および図５には、図１の乳首の実施例と同様に乳頭２と唇接触領域３と胴部４と乳首フランジ５とを備えた、瓶用乳首の構成をした乳首１の変化実施例を示した。ここでもまた乳首１の、直径方向で互いに反対側に位置する２つの面、つまり横断面でみて楕円の乳頭２の長軸に関してフラットな面または広幅面に、表面粗面化域７が設けられている。残りの領域１３で乳首１は同様に透過性もしくは半透明で平滑に形成されている。図４および図５に示した実施例では、図１〜図３に示した実施例とは異なって、表面粗面化域７が乳頭２の表面を越えて延びており、そうしてこれらの表面粗面化域７は連続する表面粗面化域７−７を形成する。さらに図５から判るように、乳首１の内面に斜めに配置された２×２の補強リブ１０´が設けられており、これによってまた乳頭２から胴部４に向かう問題の移行領域における乳首１の不都合な重ね合わせまたは押し合わせが回避される。
【００４０】
原則として図４および図５に示した乳首１もまた図１〜図３に基づく乳首１に関して既に記載した材料から製作されていて、かつ表面粗面化域７に対応する、放電加工または化学エッチングによって粗面化された域を有する型を使用して同じような射出成形法で製作され、また表面粗面化域７における表面粗さもまた最大１００μｍ、特に最大５０μｍ、特に１０μｍ〜４０μｍ、有利には１５μｍ〜３０μｍである。
【００４１】
さらに図１、図２ならびに図５から判るように、乳首フランジ５の領域に、従来慣用の通気孔１４を設けることができ、これによって飲用液を飲む際に空気の流入によってフランジ内部の圧力補償が実現される。
【００４２】
さらに飲み口１２の領域において、乳首１は、厚み部１５によって外側でも内側でも補強することができ、これによって乳頭２の端面で、飲用液を飲む際に重要な比較的高い強度が保証される。
【００４３】
図６〜図８には、瓶用乳首１´の選択的な実施例を示した。ここでは瓶用乳首１´の胴部４は、これに続く唇接触領域３ならびにこの唇接触領域３に隣接する乳頭２よりも大きな厚みを有している。これによって比較的小さな厚みを有する唇接触領域３ならびに乳頭２を支持する胴部４の、矢印１６方向（図８参照）で作用するばね力が形成され、これによって乳房の吸い付きを良好に偽装するような、乳児のいわゆる「搾乳」が実現される。
【００４４】
乳児の「搾乳」をさらに容易にして乳房に対する吸い付きを偽装するために、唇接触領域３に２つの域１７が設けられており、特に図８から判るように、これらの域１７は残りの唇接触領域と比べて小さな厚みを有している。
【００４５】
均一の厚みを有する前述の乳首１のように、乳首１´は、胴部４の領域で回転対称に、つまり横断面で円形に形成されていて、かつ乳頭２は横断面で楕円に形成されているので、乳首１´は、正確に２つの位置、つまり横方向でみて長軸に対して平行な位置で、乳児によって快適に口に入れることができる。横断面形状で、唇接触領域３は乳頭２の楕円形から胴部４の円形に移行しており、これによって乳頭の形状は、乳児が乳頭に吸い付くかもしくは乳頭を搾る間、できるだけ正確に乳頭の自然な形状に相当するようになる。
【００４６】
ここでは比較的厚みの小さな両方の域１７は、乳首１´の両方の広幅面、つまり乳頭２の楕円形の横断面の長軸に対して平行に延びる面において、直径方向で互いに反対側に配置されていて、かつ外観で大体において三角形に形成されているので、これらの厚みの小さな域１７は広幅のベース領域で、唇接触領域３に延びていて、かつ狭幅の尖端領域で乳頭２まで延びている。
【００４７】
各厚みの小さな域１７の内面に４つの補強リブ１０が設けられており、これによってこ乳首１´の強度は、特に厚みの小さな域１７で高めることができるので、乳首１´のために軟性材料を使用する場合でも、唇接触領域３に乳首１´の所望しない強い押し付けが生じることはない。補強リブ１０によって、飲用液、特にミルクの後続流れをブロックする恐れのある乳首の重ね合わせが確実に回避される。
【００４８】
さらに乳首１´の表面は唇接触領域３ならびに乳頭２において、残りの乳首と比べて高い表面粗さを有しているので、乳房の特性はさらに良好に模造することができる。
【００４９】
図６〜図８に示した乳首１´では、実線７´で囲んだ表面粗面化域７に、既に詳しく説明した、最大約１００μｍ、特に最大５０μｍの比較的高い表面粗さが設けられている。
【００５０】
図９〜図１１には、別の実施例としておしゃぶり用乳首１´´を示した。ここでは胴部４ならびに乳頭２は横断面で楕円に形成されており、乳頭２は、口腔に良好に入れておくために、胴部４よりも大きな横断面を有している。胴部４に端部側で比較的大きな横断面を有する、おしゃぶりシールド（図示していない）におしゃぶり用乳首１´´を固定するためのフランジ１８が続いている。
【００５１】
乳房に対する吸い付きをできるだけ精確に偽装するために、おしゃぶり用乳首１´´もまた表面粗面化域７を備えており、この表面粗面化域７は乳頭２の領域に配置されており、したがってこの表面粗面化域７に、乳児の口に入れられたおしゃぶり用乳首１´´の機能状態で、乳児の舌が接触する。有利には表面粗面化域７は、おしゃぶり用乳首１´´として使用する場合に、乳頭２の、主として直径方向で互いに反対側に位置する広幅面に沿って延びている。
【００５２】
さらに自然な乳房を模造するために、乳頭２の広幅面で表面粗面化域７に隆起箇所が設けられている。図９〜図１１に示した実施例では、乳頭２の一方の広幅面に隆起箇所として丸い節状突起１９が設けられていて、かつ他方の広幅面に魚骨状に配置された溝２０が設けられている。ここで重要な点は、とりわけ自然な乳房の表面特性を模造するために肌に似た表面粗面化域７を設けることである。
【００５３】
図１２には、図１０と同様の側面図で、隆起箇所のない乳頭２を備えたおしゃぶり用乳首１ａを示した。この乳頭２もまた胴部４を介してフランジ１８に移行していて、かつ両方の広幅面ならびに尖端に表面粗面化域７を備えており、両方の狭幅面ならびに胴部４には、平滑で透過性の領域１３が設けられている。
【図面の簡単な説明】
【００５４】
【図１】本考案の瓶用乳首を示す斜視図である。
【００５５】
【図２】図１の瓶用乳首の縦断面図である。
【００５６】
【図３】図１および図２の瓶用乳首の側面図なである。
【００５７】
【図４】本考案の別の瓶用乳首を示す斜視図である。
【００５８】
【図５】図４の瓶用乳首を、乳首の内面に斜めに配置された補強部で示した縦断面図である。
【００５９】
【図６】厚みの小さな域を備えた瓶用乳首を示す斜視図である。
【００６０】
【図７】図６のＶＩＩ−ＶＩＩ線に沿った縦断面図である。
【００６１】
【図８】図６のＶＩＩＩ−ＶＩＩＩ線に沿った縦断面図である。
【００６２】
【図９】乳首の領域に表面粗面化域を備えたおしゃぶり用乳首を示す正面図である。
【００６３】
【図１０】図９のおしゃぶり用乳首の側面図である。
【００６４】
【図１１】図９のおしゃぶり用乳首の背面図である。
【００６５】
【図１２】表面粗面化域を備えた別のおしゃぶり用乳首を示す側面図である。
【符号の説明】
【００６６】
１，１´，１´´，１ａ  乳首、  ２  乳頭、  ３  唇接触領域、  ４  胴部、  ５  乳首フランジ、  ６  表面構造化部、  ７  表面粗面化域、  ７´  実線、  ８  ベース領域、  ９  尖端領域、  １０，１０´  補強リブ、  １１  中央面、  １２  飲み口、  １３  領域、  １４  通気孔、  １５  厚み部、  １６  矢印、  １７厚みの小さな域、  １８  フランジ、  １９  節状突起、
【図１】
0003104866.tif 000003
【図２】
0003104866.tif 000004
【図３】
0003104866.tif 000005
【図４】
0003104866.tif 000006
【図５】
0003104866.tif 000007
【図６】
0003104866.tif 000008
【図７】
0003104866.tif 000009
【図８】
0003104866.tif 000010
【図９】
0003104866.tif 000011
【図１０】
0003104866.tif 000012
【図１１】
0003104866.tif 000013
【図１２】
0003104866.tif 000014